(57)【要約】【課題】  穂先竿と穂持竿との継合部前後における曲げ剛性差をできるだけ小さくできると共に、穂先竿に対する応力集中を防止する。【解決手段】  繊維強化樹脂製竿杆を並継又は振出式に複数本継ぎ合わせる釣竿であって、穂先竿１８が中空管１８Ａの一端部と中実部材１８Ｂの一端部とを分離不可能に接合して構成されており、該穂先竿は先側領域を中空管で構成し、管状の穂持竿１６と継ぎ合わせる継合部ＴＢとその前側の所定長さ部Ｌとからなる後側領域を中実部材１８Ｂで構成する。【選択図】      図２
2006141248.tif 000002
【特許請求の範囲】
【請求項１】
繊維強化樹脂製竿杆を並継又は振出式に複数本継ぎ合わせる釣竿であって、穂先竿が中空管の一端部と中実部材の一端部とを分離不可能に接合して構成されており、該穂先竿は先側領域を中空管で構成し、管状の穂持竿と継ぎ合わせる継合部とその前側の所定長さ部とからなる後側領域を中実部材で構成していることを特徴とする継式釣竿。
【請求項２】
繊維強化樹脂製竿杆を並継又は振出式に複数本継ぎ合わせる釣竿であって、穂先竿が、中空管の後側領域内に中実部材を挿入して接着固定されて構成され、該中実部材の配設されている領域は、管状の穂持竿と継ぎ合わせる継合部の範囲内に後端があり、該継合部の前方所定位置に前端があることを特徴とする継式釣竿。
【請求項３】
前記穂先竿の領域であって、穂先竿の継合部に隣接する領域の曲げ剛性は、穂持竿の領域であって、穂先竿の継合部に隣接する領域の曲げ剛性に対して２０％程度以下の相違である請求項１または２記載の継式釣竿。
【発明の詳細な説明】
【技術分野】
【０００１】
本発明は、繊維強化樹脂製の並継式又は振出式の継式釣竿に関する。
【背景技術】
【０００２】
通常、中実部材と中空管とを接続して一本の穂先竿杆を形成する場合、下記特許文献１，２に示すように、従来では前側に中実部材を、後側に中空管を配設する構成である。
【特許文献１】実公昭６０−１８０４８号公報
【特許文献２】実開昭５７−１０４８７６号公報
【発明の開示】
【発明が解決しようとする課題】
【０００３】
然しながら、上記の穂先竿では前側領域の外径を細くし易く、先部の曲げ剛性を小さく形成できるというメリットがあるが、以下のような欠点がある。まず、継式釣竿として、先端部が中実の分持ち重り傾向があり、釣竿の振り調子にシャープな感じが無くてだれた感じが強くなる。また、穂先竿と穂持竿との継合部等の各継合部の前後の曲げ剛性の差をできる限り小さくしなければ、撓み力を受けた際に釣竿が腰折れ状態になってしまい、荷重が後方に滑らかに移動し難い。更には、並継又は振出式の継式釣竿では、撓んだ際に穂先竿と穂持竿との継合部の直前位置に応力集中が生じるが、ここが中空管の場合は、折損し易く、強度的に弱い。
従って解決しようとする課題は、穂先竿と穂持竿との継合部前後における曲げ剛性差をできるだけ小さくできると共に、穂先竿に対する応力集中を防止できることである。
【課題を解決するための手段】
【０００４】
請求項１に係る発明では、繊維強化樹脂製竿杆を並継又は振出式に複数本継ぎ合わせる釣竿であって、穂先竿が中空管の一端部と中実部材の一端部とを分離不可能に接合して構成されており、該穂先竿は先側領域を中空管で構成し、管状の穂持竿と継ぎ合わせる継合部とその前側の所定長さ部とからなる後側領域を中実部材で構成していることを特徴とする継式釣竿を提供する。
前側の所定長さ部とは、長さが実在すれば良いが、好ましくは５０ｍｍ以上である。下記においても同じである。
【０００５】
請求項２に係る発明では、繊維強化樹脂製竿杆を並継又は振出式に複数本継ぎ合わせる釣竿であって、穂先竿が、中空管の後側領域内に中実部材を挿入して接着固定されて構成され、該中実部材の配設されている領域は、管状の穂持竿と継ぎ合わせる継合部の範囲内に後端があり、該継合部の前方所定位置に前端があることを特徴とする継式釣竿を提供する。
【０００６】
請求項３に係る発明では、前記穂先竿の領域であって、穂先竿の継合部に隣接する領域の曲げ剛性は、穂持竿の領域であって、穂先竿の継合部に隣接する領域の曲げ剛性に対して２０％程度以下の相違である請求項１または２記載の継式釣竿を提供する。
この曲げ剛性の相違を調べる際には、穂先竿側領域も穂持竿側領域も共に、補強耳等、本体成形プリプレグに比べて非常に小さなプリプレグが部分的に重合されているような部位を避けて調べる。
【発明の効果】
【０００７】
本発明の請求項１では、穂先竿を管状の穂持竿と並継又は振出式に継ぎ合わせた場合に、継合部の前後において、穂持竿は、穂先竿よりも外径は大きいが内部は空洞である。一方、穂先竿は穂持竿よりも外径は小さいが、継合部とその前側所定長さ部が中実部材で構成されているため、内部は詰まっている構造である。従って、穂持竿側の曲げ剛性に対して、穂先竿側の曲げ剛性を近い値に設定することが容易になる。また、撓んだ際に継合部直前の穂先竿側への応力集中に対しても、中実部材のため割れが生じ難く、強度的に向上する。
【０００８】
請求項２では、請求項１の場合とは接合構造が異なるものの、継合部直前部での応力集中に対して強いことは同じである。
請求項３では、曲げ剛性が具体的にこの程度の相違であれば、滑らかな撓みとなる。
【発明を実施するための最良の形態】
【０００９】
以下、本発明を図面を用いて詳細に説明する。図１は本発明に係る並継式釣竿の例としてのへら竿の側面図、図２はその穂先竿と穂持竿先部の拡大図であって斜線は領域区別のためであり、図３は図２のＣ部の拡大部分断面図である。元竿１０と、中竿１２，１４と、穂持竿１６と穂先竿１８とが並継式に継ぎ合わされている。各竿管は、エポキシ樹脂等の合成樹脂をマトリックスとし、炭素繊維等の強化繊維で強化された繊維強化樹脂製である。
【００１０】
穂先竿１８は、先側領域を中空管１８Ａで構成し、後側領域を中実部材１８Ｂで構成し、中実部材先端部を小径化させ、中空管１８Ａの後端部に挿入して接着接合させている。中実である後側領域は、管状の穂持竿１６との継合部ＴＢ領域と、その前側長さＬの範囲に亘っている。この長さＬは、好ましくは５０ｍｍ以上である。
【００１１】
こうして穂持竿との継合部ＴＢの直前部は中実部材１８Ｂであるため、釣竿が撓んだ際の継合部ＴＢの直前部の応力集中に対して強い。また、釣竿の先端部領域は中空管１８Ａであるため、持ち重りが防止でき、釣竿の振り調子にシャープな感じが出る。継合部ＴＢの直前部位（補強耳等の存在する部位を外す）と直後部位（補強耳等の存在する部位を外す）の各曲げ剛性値は、夫々、例えば５６．２８Ｎ・ｍｍ２と６４．４５Ｎ・ｍｍ２であり、約１３％の差に収まる。従って、撓み曲線が滑らかになる。
【００１２】
図４は中実部材１８Ｂが、強化繊維が長手方向に引き揃えられた心材１８ＢＣの外周を所定形状に研削形成した後、この外側に、同じく強化繊維が長手方向に引き揃えられたプリプレグを巻回して外層１８ＢＨを形成した形態の例を図示している。このように、本願での中実部材は、外側にプリプレグによる層の有無を問わない。
【００１３】
図５は他の実施形態例を示し、穂先竿の露出部のみを縦断面で示している。穂先竿は、中空管１８Ａ’の後端から中実部材１８Ｂ’が挿入固定されている。その範囲は、継合部ＴＢの範囲とその前側所定長さＬの範囲とに亘っている。この例の中実部材１８Ｂ’は、図４の中実部材と同様に、強化繊維が長手方向に引き揃えられた心材１８ＢＣの外周に、プリプレグによる外層１８ＢＨが設けられている。長さＬは、好ましくは５０ｍｍ以上である。
【００１４】
こうして穂先竿の継合部ＴＢの直前部は、中空管１８Ａ’と中実部材１８Ｂ’とが一体化した新たな中実部材となっているため、釣竿が撓んだ際の継合部ＴＢの直前部の応力集中に対して強い。また、釣竿の先端部領域は中空管であるため、持ち重りが防止でき、釣竿の振り調子にシャープな感じが出る。継合部ＴＢの直前部位と直後部位の各曲げ剛性値は、やはり２０％の差に収まる。従って、撓み曲線が滑らかになる。
【００１５】
更には、図５では、穂先竿の継合部ＴＢ全体に亘って中実部材１８Ｂ’が挿入配設されているが、該継合部領域の後端近くには存在せず、継合部の途中位置から前方に配設されていてもよい。この形態の場合、釣竿が撓んだ際に、穂先竿の継合部の後部領域は中空管１８Ａ’のみであるため、継合部ＴＢ後端近くにおける穂持竿１６側への応力集中が緩和される。
【産業上の利用可能性】
【００１６】
本発明は、並継又は振出式の継式釣竿に利用できる。
【図面の簡単な説明】
【００１７】
【図１】図１は本発明に係る継式釣竿の側面図である。
【図２】図２は図１の要部の拡大図である。
【図３】図３は図２のＣ部の拡大部分破断図である。
【図４】図４は図２に代る変形形態例の図である。
【図５】図５は図２に対応し、本発明に係る継式釣竿の他の形態例の図である。
【符号の説明】
【００１８】
１６                          穂持竿
１８                          穂先竿
１８Ａ                        中空管
１８Ｂ                        中実部材
ＴＢ                          継合部
【図１】
2006141248.tif 000003
【図２】
2006141248.tif 000004
【図３】
2006141248.tif 000005
【図４】
2006141248.tif 000006
【図５】
2006141248.tif 000007